(57)【要約】  本発明は、送信装置から受信したデータを受信装置に転送するリレーであって、送信装置から第１データを含む第１データフレームを受信し、送信装置から第１地図情報を含む第２データフレームを受信する受信部と、受信した第１データと第１地図情報とが互いに相応するか否かを判断し、互いに相応しない場合に、第１データに相応する第２地図情報及び第１地図情報に相応する第２データを受信できなかったものと判断する判断部と、を備える。【選択図】図３
2010534440.tif 000002
【特許請求の範囲】
【請求項１】
送信装置から第１データを含む第１データフレームを受信し、該送信装置から第１地図情報を含む第２データフレームを受信する受信部と、
前記受信した第１データと前記第１地図情報とが互いに相応するか否かを判断し、互いに相応しない場合に、前記第１データに相応する第２地図情報及び前記第１地図情報に相応する第２データを受信できなかったものと判断する判断部と、を備えることを特徴とするリレー。
【請求項２】
前記受信部は、前記第１データと関連した第１データ送信時刻情報及び前記第１地図情報と関連した第１地図情報送信時刻情報を受信し、
前記判断部は、前記第１データ送信時刻情報及び前記第１地図情報送信時刻情報に基づいて前記第１データと前記第１地図情報とが互いに相応するか否かを判断することを特徴とする請求項１に記載のリレー。
【請求項３】
前記第１データを受信装置に送信するための第３データフレームを前記第１データ送信時刻情報に基づいて算出し、前記第１地図情報を前記受信装置に送信するための第４データフレームを前記第１地図情報送信時刻情報に基づいて算出する送信フレーム算出部を更に備え、
前記判断部は、前記第３データフレームと前記第４データフレームとが同じデータフレームである場合に、前記第１データと前記第１地図情報とが互いに相応するものと判断することを特徴とする請求項２に記載のリレー。
【請求項４】
前記第１データと前記第１地図情報とが互いに相応しない場合に、前記第２地図情報又は前記第２データに対するエラー発生（ＮＡＣＫ）メッセージを前記送信装置に送信する送信部、を更に備えることを特徴とする請求項１に記載のリレー。
【請求項５】
前記第１データ送信時刻情報は、前記第１データを受信装置に送信するための第３データフレームのフレーム番号に対する所定の長さの下位ビット（ＬＳＢ）を含むか、或いは前記第１地図情報送信時刻情報は、前記第１地図情報を前記受信装置に送信するための第４データフレームのフレーム番号に対する所定の長さの下位ビット（ＬＳＢ）を含むことを特徴とする請求項２に記載のリレー。
【請求項６】
前記第１地図情報は、前記第２データを受信装置に送信するためのデータフレーム内で前記第２データの送信が開始される時刻、前記第２データを受信装置に送信するためのデータフレーム内で前記第２データが送信される時間区間の長さ、及び前記第２データを受信する受信装置の識別子のうちの少なくともいずれか１つの情報を含むことを特徴とする請求項１に記載のリレー。
【請求項７】
前記判断部が前記受信部で第２地図情報を受信できなかったものと判断した場合に、受信装置に前記第１データに対する無視メッセージを送信する送信部を更に備えることを特徴とする請求項１に記載のリレー。
【請求項８】
前記無視メッセージは、ギャップ（Ｇａｐ）ダウンリンクバーストプロファイルメッセージに相応することを特徴とする請求項７に記載のリレー。
【請求項９】
前記無視メッセージは、空間・時間コーディング／ダウンリンク（ＳＴＣ／ＤＬ）ゾーンスイッチメッセージに相応することを特徴とする請求項７に記載のリレー。
【請求項１０】
前記判断部が前記受信部で前記第２データを受信できなかったものと判断した場合に、前記判断部は、前記第１地図情報に含まれた受信装置の識別子を削除することを特徴とする請求項１に記載のリレー。
【請求項１１】
前記判断部が前記受信部で前記第２データを受信できなかったものと判断した場合に、前記第１地図情報に前記リレーの識別子又は前記送信装置に接続されない第２受信装置の識別子を含めて送信する送信部を更に備えることを特徴とする請求項１に記載のリレー。
【請求項１２】
前記判断部が前記受信部で前記第２データを受信できなかったものと判断した場合に、受信装置がエラーを検出するように設定された第３データを該受信装置に送信する送信部を更に備えることを特徴とする請求項１に記載のリレー。
【請求項１３】
複数のビットからなる前記第３データを構成するそれぞれのビットは、すべて同じ値を有するか、或いは任意に生成された値を有し、該それぞれのビットの値に基づき前記受信装置でエラーを検出することを特徴とする請求項１２に記載のリレー。
【請求項１４】
送信装置から第１データを含む第１データフレームを受信するステップと、
前記送信装置から第１地図情報を含む第２データフレームを受信するステップと、
前記第１データと前記第１地図情報とが互いに相応するか否かを判断するステップと、
互いに相応しない場合に、前記第１データに相応する第２地図情報及び前記第１地図情報に相応する第２データを受信できなかったものと判断するステップと、を有することを特徴とするデータ転送方法。
【請求項１５】
前記第１データと関連した第１データ送信時刻情報及び前記第１地図情報と関連した第１地図情報送信時刻情報を受信するステップを更に有し、
前記第１データと前記第１地図情報とが互いに相応するか否かを判断するステップは、前記第１データ送信時刻情報及び前記第１地図情報送信時刻情報に基づいて前記第１データと前記第１地図情報とが互いに相応するか否かを判断することを特徴とする請求項１４に記載のデータ転送方法。
【請求項１６】
前記第１データを受信装置に送信するための第３データフレームを前記第１データ送信時刻情報に基づいて算出するステップと、
前記第１地図情報を前記受信装置に送信するための第４データフレームを前記第１地図情報送信時刻情報に基づいて算出するステップと、を更に有し、
前記第１データと前記第１地図情報とが互いに相応するか否かを判断するステップは、前記第３データフレームと前記第４データフレームとが同じデータフレームである場合に、前記第１データと前記第１地図情報とが互いに相応するものと判断することを特徴とする請求項１５に記載のデータ転送方法。
【請求項１７】
前記第２地図情報を受信できなかったものと判断した場合に、受信装置に前記第１データに対する無視メッセージを送信するステップを更に有することを特徴とする請求項１４に記載のデータ転送方法。
【請求項１８】
前記第２データを受信できなかったものと判断した場合に、前記第１地図情報に含まれた受信装置の識別子を削除するステップを更に有することを特徴とする請求項１４に記載のデータ転送方法。
【請求項１９】
前記第２データを受信できなかったものと判断した場合に、前記第１地図情報に前記リレーの識別子又は前記送信装置に接続されない第２受信装置の識別子を含めて送信するステップを更に有することを特徴とする請求項１４に記載のデータ転送方法。
【請求項２０】
前記第２データを受信できなかったものと判断した場合に、受信装置がエラーを検出するように設定された第３データを該受信装置に送信するステップを更に有することを特徴とする請求項１４に記載のデータ転送方法。
【請求項２１】
請求項１４に記載のデータ転送方法を実行させるためのプログラムを記録したコンピュータ読み取り可能な記録媒体。
【発明の詳細な説明】
【技術分野】
【０００１】
本発明はリレーに関し、より詳細には、送信装置から受信したデータを受信装置に送信するリレーに関する。
【背景技術】
【０００２】
無線通信網を介して、音声だけでなく映像通信やデータ通信などを利用しようとする需要が増加している。音声通信に比べ、映像通信やデータ通信は、送信装置と受信装置との間の無線資源をより多く消耗する。
【０００３】
送信装置と受信装置との間の無線リンクを介して送信されるデータの送信帯域幅は、無線リンクの状態によって決定される。無線リンクの状態は、フェーディング（ｆａｄｉｎｇ）現象などが原因して不安定である。送信装置と受信装置の間の帯域幅は無線リンクの状態によって制限される反面、送信装置に接続したそれぞれの受信装置がサービスを利用するために必要とする帯域幅は増加する傾向にある。それぞれの受信装置に送信されるデータの帯域幅の増加により、１つの送信装置と同時に通信することができる受信装置の数が減少し、それぞれの送信装置の受信領域（ｃｏｖｅｒａｇｅ）が減少する。
【０００４】
フェーディング現象による無線データ送信システムの性能低下を克服するために、送信装置からリレーを経由して受信装置にデータを送信するリレーシステムが提案されている。リレーシステムは、データ送信モードによって、送信装置から直接に受信装置にデータを送信することもできるし、リレーを経由して受信装置にデータを送信することもできる。リレーシステムは、送信装置から受信装置までの無線リンクとリレーから受信装置までの無線リンクのうち、状態が良好な無線リンクを選択してデータを送信することができるため、データ送信の効率が向上する。
【０００５】
リレーシステムは、リレーから受信装置までの無線リンクに対して無線資源を割り当て、割り当てられた無線資源を用いてデータを送信する。リレーが割り当てられた無線資源に対する情報を含む地図（ＭＡＰ）情報を予め受信装置に送信すると、受信装置は地図情報を用いて無線資源割当情報に相応するデータを受信する。
【発明の概要】
【発明が解決しようとする課題】
【０００６】
本発明は、送信装置からデータと地図情報を非同期に受信する場合に、互いに相応するデータ又は地図情報を受信する過程で発生するエラーを検出することができるリレーを提供することを目的とする。
【０００７】
本発明は、送信装置から非同期に受信するデータ及び地図情報のうちのいずれか１つを受信できなかった場合に、受信できなかったデータ又は地図情報の代わりとなるデータ又は地図情報を受信装置に送信するリレー、及びこのリレーを用いたデータ送信方法を提供することを目的とする。
【課題を解決するための手段】
【０００８】
上記目的を達成するためになされた本発明のリレーは、送信装置から第１データを含む第１データフレームを受信し、該送信装置から第１地図情報を含む第２データフレームを受信する受信部と、前記受信した第１データと前記第１地図情報とが互いに相応するか否かを判断し、互いに相応しない場合に、前記第１データに相応する第２地図情報及び前記第１地図情報に相応する第２データを受信できなかったものと判断する判断部と、を備えることを特徴とする。
【０００９】
上記目的を達成するためになされた本発明のデータ転送（ｆｏｒｗａｒｄｉｎｇ）方法は、送信装置から第１データを含む第１データフレームを受信するステップと、前記送信装置から第１地図情報を含む第２データフレームを受信するステップと、前記第１データと前記第１地図情報とが互いに相応するか否かを判断するステップと、互いに相応しない場合に、前記第１データに相応する第２地図情報及び前記第１地図情報に相応する第２データを受信できなかったものと判断するステップと、を有することを特徴とする。
【００１０】
本発明の利点及び特徴、又はこれらを達成する方法は、詳細に後述する実施形態を参照することによって明確になるであろう。
【発明の効果】
【００１１】
本発明によれば、送信装置からデータとデータに相応する地図情報を非同期に受信した場合に、互いに相応するデータ又は地図情報を受信する過程で発生したエラーを検出することができる。
本発明によれば、送信装置から非同期に受信したデータ及び地図情報のうちのいずれか１つを受信できなかった場合に、受信できなかったデータ又は地図情報の代わりとなるデータ又は地図情報を受信装置に送信することができる。
【図面の簡単な説明】
【００１２】
【図１】本発明の一実施形態によるリレーを用いたデータ送信システムを示す図である。
【図２】本発明の一実施形態によるリレーの動作を、リレーと関連したデータフレームによって示す図である。
【図３】図１に示すリレーの構成を示すブロック図である。
【図４】本発明の一実施形態によるデータ転送方法を示すフローチャートである。
【図５】本発明の一実施形態によるデータ送信時刻情報及び地図情報送信時刻情報に基づいてデータと地図情報が互いに相応するか否かを判断する方法を示すフローチャートである。
【発明を実施するための形態】
【００１３】
以下、添付の図面を参照しながら、本発明の実施形態について詳しく説明する。
【００１４】
図１は、本発明の一実施形態によるリレーを用いたデータ送信システムを示す図である。以下、図１を参照しながら、本発明の一実施形態によるリレーを用いたデータ送信システムの動作について詳しく説明する。データ送信システムは、基地局１１０と、リレー１２０と端末機１３０とを含む。
【００１５】
基地局１１０はデータを送信する時刻に対する情報を含む地図情報を端末機１３０に送信し、端末機１３０は受信した地図情報を用いてデータを受信する。
【００１６】
基地局１１０は、端末機１３０に送信するデータを、リレー１２０を経由して送信するため、リレー１２０は、データ及びデータに相応する地図情報を端末機１３０に転送する。地図情報はリレー１２０がデータを受信するために必要な情報ではないが、リレー１２０が多数のデータ又は多数の地図情報を受信した場合に、どのデータとどの地図情報が互いに相応するかを判断しなければならない。これをバインディング（ｂｉｎｄｉｎｇ）という。
【００１７】
基地局１１０が送信するデータとデータに相応する地図情報が所定の時間的関連性を有して送信されるとき、データと地図情報は互いに「同期（ｓｙｎｃｈｒｏｎｏｕｓ）」して送信されるといえる。例えば、基地局１１０がデータを送信する全体時間を「所定の長さの時間区間」で区分し、それぞれの時間区間ごとにデータを送信する場合に、データとデータに相応する地図情報が同じ時間区間内に送信されれば、データとデータに相応する地図情報は同期して送信されるといえる。また、データとデータに相応する地図情報が互いに異なる時間区間に送信されれば、データとデータに相応する地図情報は非同期に送信されるといえる。
【００１８】
基地局１１０がリレー１２０を経由して端末機１３０にデータを送信する場合に、基地局はデータだけではなくデータに相応する地図情報もリレー１２０を経由して端末機１３０に送信する。リレー１２０は、地図情報を用いてデータを受信するものではないため、データと地図情報を非同期に又は同期して受信することができる。本発明によると、リレー１２０は、データと地図情報をバインディングし、データとデータに相応する地図情報を同期して端末機１３０に送信することができる。
【００１９】
本発明の一実施形態によると、基地局１１０、リレー１２０、及び端末機１３０は、ＭＡＣ階層のＭＡＣ（Ｍｅｌｉａ  Ａｃｃｅｓｓ  Ｃｏｎｔｒｏｌ）データフレームを用いてデータを送信することができる。この場合、「所定の長さの時間区間」は、それぞれのＭＡＣデータフレームを送信するために必要な時間と解釈することができる。また、地図情報は、ＭＡＣデータフレームの開始時点から地図情報に相応するデータの送信が開始される時刻、又は地図情報に相応するデータが送信される時間の長さの少なくともいずれかを含むことができる。
【００２０】
また、基地局１１０から端末機１３０に送信されるデータは、ＭＡＣデータフレーム内のバーストに含まれて送信されてもよい。以下、本明細書では、基地局１１０、リレー１２０、及び端末機１３０がＭＡＣ階層のＭＡＣデータフレームを用いてデータを送信すると仮定し、簡単に、データフレームを用いてデータ又は地図情報を送信するということにする。
【００２１】
基地局１１０は、第１データを含む第１データフレームをリレー１２０に送信し、第１地図情報を含む第２データフレームをリレー１２０に送信する。基地局１１０は、第１データと関連した第１データ送信時刻情報を第１データフレームに含め、第１地図情報と関連した第１地図情報送信時刻情報を第２データフレームに含めて、リレー１２０に送信することができる。
【００２２】
リレー１２０は、受信した第１データと第１地図情報が互いに相応するか否かを判断する。第１データと第１地図情報が互いに相応しない場合には、第１データに相応する第２地図情報を受信できなかったものと判断し、第１地図情報に相応する第２データを受信できないものと判断する。本実施形態によると、リレー１２０は、データがリレー１２０から端末機１３０に送信される時刻に対する情報及び地図情報がリレー１２０から端末機１３０に送信される時刻に対する情報に基づいて互いに相応するデータ及び地図情報をバインディングすることができる。
【００２３】
第１データと第１地図情報が互いに相応する場合に、リレー１２０は、第１地図情報を用いて第１データを端末機１３０に送信する。第１地図情報は、第１地図情報に相応する第１データをリレー１２０から端末機１３０に送信するためのデータフレーム内で第１データの送信が開始される時刻、又は第１データが送信される時間の長さの情報を含むことができる。本発明の一実施形態によると、第１地図情報は、第１地図情報に相応する第１データを受信する端末機１３０の識別子を含むことができる。
【００２４】
図１及び図１に対する説明では、説明の便宜のために、基地局１１０及び端末機１３０として説明したが、本明細書における基地局１１０はユーザデータを送信する装置を、端末機１３０はユーザデータを受信する装置を包括することができる。従って、基地局１１０は一般的なデータ送信システムにおける送信装置１１０として、端末機１３０は受信装置１３０として解釈することができる。以下、それぞれ、送信装置１１０及び受信装置１３０として説明する。
【００２５】
また、図１では、基地局１１０からリレー１２０を経由して端末機１３０にデータを送信する実施形態のみが示されたが、本発明の他の実施形態によると、端末機１３０からリレー１２０を経由して基地局１１０にデータを送信することも可能である。
【００２６】
図１では、送信装置１１０が１つのリレー１２０を経由して受信装置１３０にデータ及び地図情報を送信する実施形態が示されたが、本発明の他の実施形態によると、送信装置１１０は、複数のリレーを経由して受信装置にデータ及び地図情報を送信してもよい。この場合に、それぞれのリレーは、次のリレーにデータ及びデータを送信するための地図情報を受信し、データ送信時刻情報及び地図情報送信時刻情報に基づいて互いに相応するデータ及び地図情報をバインディングすることができる。それぞれのリレーは、データに相応する地図情報を用いて地図情報に相応するデータを次のリレーに送信することができる。
【００２７】
図２は、本発明の一実施形態によるリレーの動作を、リレーと関連したデータフレームによって示す図である。以下、図２を参照しながら、リレーの動作について詳しく説明する。
【００２８】
リレー１２０は、第１データ２４０を含む第１データフレーム２１０及び第１地図情報２５０を含む第２データフレーム２２０を送信装置１１０から受信する。第１データフレーム２１０と第２データフレーム２２０は、送信装置１１０とリレー１２０の間の制御信号送信のための制御信号送信領域２１１、２２１及びデータ送信のためのデータ送信領域２１２、２２２を含むことができる。第１データ２４０は第１データフレーム２１０内のデータ送信領域２１２を用い、第１地図情報２５０は第２データフレーム２２０内のデータ送信領域２２２を用いて、送信装置１１０からリレー１２０に送信することができる。
【００２９】
第１データ２４０と第１地図情報２５０が互いに相応する場合に、リレー１２０は、第１地図情報２５０を用いて第１データ２４０を受信装置１３０に送信する。本発明の一実施形態によると、第３データフレーム２３０は、リレー１２０と受信装置１３０の間の制御信号送信のための制御信号送信領域２３１及びデータ送信のためのデータ送信領域２３２を含むことができる。第１地図情報２５０は第３データフレーム内の制御信号送信領域２３１に含まれて受信装置１３０に送信され、第１データ２４０は第３データフレーム内のデータ領域２３２に含まれて受信装置１３０に送信される。
【００３０】
図３は、図１に示すリレー１２０の構成を示すブロック図である。以下、図３を参照しながら、リレー１２０の構成について詳しく説明する。リレー１２０は、受信部３１０と、送信フレーム算出部３２０と、判断部３３０と、送信部３４０とを含む。
【００３１】
受信部３１０は、第１データ２４０を含む第１データフレーム２１０及び第１地図情報２５０を含む第２データフレーム２２０を受信し、これらは送信部３４０から送信される。
【００３２】
本発明の一実施形態によると、第１地図情報２５０は、リレー１２０と受信装置１３０の間の無線リンクで第１地図情報に相応するデータの送信が開始される時刻、又は第１地図情報２５０に相応するデータが送信される時間の長さを含むことができる。
【００３３】
判断部３３０は、受信した第１データ２４０と第１地図情報２５０が互いに相応するか否かを判断する。もし、互いに相応しなければ、判断部３３０は、第１データ２４０に相応する第２地図情報が送信装置１１０からリレー１２０に受信されないものと判断する。
【００３４】
本発明の他の実施形態によると、受信部３１０は、第１データ２４０と関連した第１データ送信時刻情報及び第１地図情報２５０と関連した第１地図情報送信時刻情報を受信し、判断部３３０は、第１データ送信時刻情報及び第１地図情報送信時刻情報に基づいて第１データ２４０と第１地図情報２５０が互いに相応するか否かを判断することができる。
【００３５】
第１データ送信時刻情報は、第１データ２４０がリレー１２０から受信装置１３０に送信される時刻に対する情報を含む。第１地図情報送信時刻情報は、第１地図情報がリレー１２０から受信装置１３０に送信される時刻に対する情報を含む。本発明の他の実施形態によると、判断部３３０は、第１データ送信時刻情報及び第１地図情報送信時刻情報に基づいて第１データ２４０と第１地図情報２５０が同一ないし類似する時刻にリレー１２０から受信装置１３０に送信される場合に、第１データ２４０及び第１地図情報２５０は互いに相応するものと判断してもよい。第１データ２４０がリレー１２０から受信装置１３０に送信される時刻と前後する所定の時間以内に第１地図情報２５０がリレー１２０から受信装置１３０に送信される場合に、判断部３３０は、第１データ２４０と第１地図情報２５０が互いに相応するものと判断してもよい。
【００３６】
送信フレーム算出部３２０は、第１データ２４０をリレー１２０から受信装置１３０に送信するための第３データフレーム、及び第１地図情報２５０をリレー１２０から受信装置１３０に送信するための第４データフレームを、それぞれ第１データ送信時刻情報及び第１地図情報送信時刻情報に基づいて算出することができる。判断部３３０は、第３データフレーム２３０と第４データフレームが同じデータフレームである場合に、第１データ２４０と第１地図情報２５０が互いに相応するものと判断し、第１データと第１地図情報をバインディングすることができる。本発明の一実施形態によると、第４データフレームは、図３に示した第３データフレーム２３０と実質的に同じタイプのデータフレームとすることができる。
【００３７】
本発明の一実施形態によると、第１データ送信時刻情報は第３データフレーム２３０のデータフレーム番号を含み、第１地図情報送信時刻情報は第４データフレームのデータフレーム番号を含むことができる。
【００３８】
本発明の他の実施形態によると、第１データ送信時刻情報は、第１データ２４０がリレー１２０から受信装置１３０に送信される第３データフレーム２３０のデータフレーム番号に対する所定の長さの下位ビット（ＬＳＢ）を含むことができる。それぞれのデータフレームに割り当てられたデータフレーム番号を３２ビット又は６４ビットで表現してもよい。しかしこれに制約されるものではない。送信装置１１０がそれぞれのデータを送信するたびに３２ビット又は６４ビットのデータフレーム番号を含むデータ送信時刻情報を送信すると、送信装置１１０からリレー１２０の間の無線リンクに対する無線資源が浪費される。第１データフレームをリレー１２０が受信する時刻と第１データをリレー１２０から受信装置１３０に送信するための第３データフレーム２３０をリレー１２０が送信する時刻には互いに大きな差がなく、わずか数個のデータフレームの時間の長さの差だけが生じる。従って、第３データフレーム２３０のデータフレーム番号のすべてを送信せずに下位ビット（ＬＳＢ）のみを送信しても、第１データフレーム２１０のデータフレーム番号に基づいて第３データフレーム２３０のデータフレーム番号を容易に算出することができる。
【００３９】
第１地図情報送信時刻情報は、第１地図情報がリレー１２０から受信装置１３０に送信される第４データフレームのデータフレーム番号に対する所定の長さの下位ビット（ＬＳＢ）を含むことができる。３２ビット又は６４ビットのデータフレーム番号のすべてではなく、所定の長さのデータフレーム番号のみを送信するため、送信装置１１０からリレー１２０までの無線リンクに対する無線資源を効率的に用いることができる。
【００４０】
第１データ２４０と第１地図情報２５０が互いに相応する場合に、送信部３４０は、第１地図情報２５０を用いて第１データ２４０をリレー１２０から受信装置１３０に送信する。第１地図情報２５０は、第１地図情報２５０と相応する第１データ２４０をリレー１２０から受信装置１３０に送信するための第３データフレーム２３０内で第１データ２４０の送信が開始される時刻、又は第１データ２４０を受信装置１３０に送信するための第３データフレーム２３０内で第１データ２４０が送信される時間の長さを含み、送信部３４０は、第３データフレーム内で第１データ２４０の送信が開始される時刻、又は第１データ２４０が送信される時間区間の長さを参照して第１データ２４０をリレー１２０から受信装置１３０に送信することができる。第１地図情報２５０は第１データ２４０を受信する受信装置１３０の識別子を含み、送信部３４０は受信装置１３０の識別子を参照して第１データ２４０を送信することができる。
【００４１】
本発明の一実施形態によると、第１データと第１地図情報が互いに相応する場合に、送信部３４０は、第１データ２４０又は第１地図情報２５０に対する送信確認（ＡＣＫ）メッセージをリレー１２０から送信装置１３０に送信することができる。第１データ２４０と第１地図情報２５０が互いに相応しない場合に、送信部３４０は、第２地図情報又は第２データに対するエラー発生（ＮＡＫ：Ｎｏ  Ａｃｋｎｏｗｌｅｄｇｅｍｅｎｔ）メッセージを送信装置に送信することができる。
【００４２】
第１データ２４０と第１地図情報２５０が互いに相応しない場合に、判断部３３０は、受信部３１０が第１データ２４０に相応する第２地図情報を受信できなかったものと判断する。また、判断部３３０は、受信部３１０が第１地図情報２５０に相応する第２データを受信できなかったものと判断する。
【００４３】
送信部３４０は、受信できなかったものと判断された第２地図情報に対するエラー発生（ＮＡＣＫ）メッセージを送信装置１１０に送信し、送信装置１１０は、エラー発生（ＮＡＣＫ）メッセージに応答して第２地図情報及び第２地図情報と関連した第２地図情報送信時刻情報をリレー１２０に再送信することができる。リレー１２０は、再送信された第２地図情報と関連した第２地図情報送信時刻情報を用いて第２地図情報が第１データ２４０と相応するか否かを判断し、その結果によって第２地図情報を用いて第１データ２４０を受信装置１３０に送信することができる。
【００４４】
本発明の一実施形態によると、送信部３４０は、受信できなかったものと判断された第２データに対するエラー発生（ＮＡＣＫ）メッセージを送信装置１１０に送信し、送信装置１１０は、エラー発生（ＮＡＣＫ）メッセージに応答して第２データ及び第２データと関連した第２データ送信時刻情報をリレー１２０に再送信することができる。リレー１２０は、再送信された第２データと関連した第２データ送信時刻を用いて第２データと第１地図情報２５０が互いに相応するか否かを判断し、その結果によって第１地図情報２５０を用いて第２データを受信装置１３０に送信することができる。
【００４５】
本発明の一実施形態によると、受信部３１０で第１地図情報２５０を受信できなかったものと判断部３３０が判断した場合に、送信部３４０は、第１地図情報２５０に相応する第２データに対する無視メッセージを受信装置１３０に送信することができる。受信装置１３０は、第２データに対する無視メッセージに従い、無視メッセージに対応する無線資源に対してはデータを受信しない。
【００４６】
受信部３１０で第２データを受信できなかったものと判断部３３０が判断した場合に、送信部３４０は、第２データを受信装置１３０に送信しなくてもよい。受信装置１３０は第２データを受信することができず、第２データに相応する無線資源を用いてデータを受信するためのすべての動作は無意味となる。不必要な電力消耗を防ぎ、リレー１２０から受信装置１３０の間の無線リンクに対する帯域幅を効率的に用いるため、リレー１２０は、受信装置１３０に第２データに対する無視メッセージを送信し、受信装置１３０は第２データに対する無視メッセージに従い、第２データに相応する無線資源に対してはデータを受信しない。
【００４７】
本発明の一実施形態によると、第２データに対する無視メッセージは、ギャップダウンリンクバーストプロファイル（ＧＡＰ  ｄｏｗｎｌｉｎｋ  ｂｕｒｓｔ  ｐｒｏｆｉｌｅ）メッセージ又はそれに相応するものであってもよい。ギャップ（ＧＡＰ）ダウンリンクバーストプロファイルメッセージは、ギャップ（ＧＡＰ）ダウンリンクバーストプロファイルメッセージに対応する無線資源からいずれのデータも送信されないことを意味する。ギャップ（ＧＡＰ）ダウンリンクバーストプロファイルメッセージを受信した受信装置１３０は、ギャップ（ＧＡＰ）ダウンリンクバーストプロファイルメッセージに対応する無線資源に対してはデータを受信しない。
【００４８】
受信部３１０で第２データを受信できなかったものと判断部３３０が判断した場合に、送信部３４０はギャップ（ＧＡＰ）ダウンリンクバーストプロファイルメッセージを受信装置１３０に送信し、受信装置はギャップ（ＧＡＰ）ダウンリンクバーストプロファイルメッセージ従い、ギャップ（ＧＡＰ）ダウンリンクバーストプロファイルメッセージに対応する無線資源に対してはいかなるデータも受信しなくてよい。
【００４９】
本発明の他の実施形態によると、第２データに対する無視メッセージは、空間・時間コーディング／ダウンリンクゾーンスイッチ（ＳＴＣ／ＤＬ  ｚｏｎｅ  ｓｗｉｔｃｈ）メッセージ又はそれに相応するものであってもよい。ＳＴＣ／ＤＬゾーンスイッチメッセージは、ＳＴＣ／ＤＬゾーンスイッチメッセージに対応する無線資源に特定の置換モードや送信ダイバーシティーモードが適用されることを意味する。ＳＴＣ／ＤＬゾーンスイッチメッセージを受信した受信装置１３０は、ＳＴＣ／ＤＬゾーンスイッチメッセージに対応する無線資源の受信装置であるか否かを確認し、ＳＴＣ／ＤＬゾーンスイッチメッセージに対応する無線資源の受信装置に該当しなければ、ＳＴＣ／ＤＬゾーンスイッチメッセージに対応する無線資源に対してはデータを受信しない。ＳＴＣ／ＤＬゾーンスイッチメッセージに対応する無線資源の受信装置に該当しない受信装置がＳＴＣ／ＤＬゾーンスイッチメッセージに対応する無線資源に対して誤ったチャンネル推定を実行しないようにするために、送信装置１１０は、指定パイロット（Ｄｅｄｉｃａｔｅｄ  Ｐｉｌｏｔ）を設定したＳＴＣ／ＤＬゾーンスイッチメッセージを送信してもよい。
【００５０】
受信部３１０で第２データを受信できなかったものと判断部３３０が判断した場合に、送信部３４０はＳＴＣ／ＤＬゾーンスイッチメッセージを受信装置１３０に送信し、受信装置はＳＴＣ／ＤＬゾーンスイッチメッセージに従い、ＳＴＣ／ＤＬゾーンスイッチメッセージに対応する無線資源に対してはいずれのデータも受信しなくてよい。
【００５１】
本発明の一実施形態によると、受信部３１０で第２データを受信できなかったものと判断部３３０が判断した場合に、判断部３３０は、第２データに相応する第１地図情報２５０に含まれた受信装置１３０の識別子を削除することができる。受信装置１３０は、第２データに相応する第１地図情報２５０を先ず受信し、第１地図情報２５０に自身の識別子が含まれている場合に、第１地図情報２５０と関連した無線資源を用いて第２データを受信する。受信部３１０が第２データを受信できなかった場合には、送信部３４０は第２データを受信装置１３０に送信しない。従って、受信装置１３０が第２データを受信するためのすべての動作は無意味となる。判断部３３０が第１地図情報２５０に含まれた受信装置１３０の識別子を削除した場合に、第１地図情報２５０を受信した受信装置１３０は、自身の識別子が第１地図情報２５０に含まれていないため、第１地図情報２５０に相応する第２データを受信しない。
【００５２】
本発明の一実施形態によると、受信部３１０で第２データを受信できなかったものと判断部３３０が判断した場合に、送信部３４０は、第１地図情報２５０にリレー１２０の識別子、又は送信装置に接続しない第２受信装置の識別子を含めて送信することができる。第１地図情報２５０に特定の受信装置１３０の識別子が含まれていない場合に、第１地図情報２５０を用いて第２データを受信する受信装置１３０が存在してもよい。第１地図情報２５０にリレー１２０の識別子を含めて送信するか、又は送信装置１１０に接続されない第２受信装置の識別子を含めて送信すると、特定の受信装置の識別子が含まれない第１地図情報を用いてデータを受信する受信装置１３０に対して第２データを受信することを防ぐことができる。
【００５３】
受信部３１０で第２データを受信できなかったものと判断部３３０が判断した場合に、送信部３４０は、第２データの代わりに受信装置１３０がエラーを検出するように設定された第３データを受信装置１３０に送信することができる。受信装置１３０は、第３データを受信し、第３データに対するエラー発生（ＮＡＣＫ）メッセージをリレー１２０に送信する。リレー１２０は、第３データに対するエラー発生（ＮＡＣＫ）メッセージの代りに、第２データに対するエラー発生（ＮＡＣＫ）メッセージを送信装置１１０に送信することができる。送信装置１１０は、第２データに対するエラー発生（ＮＡＣＫ）メッセージに応答して第２データ、及び再送信される第２データに相応する第３地図情報をリレー１２０に再送信する。リレー１２０は、第３地図情報を用いて再送信された第２データを受信装置１３０に送信することができる。
【００５４】
本発明の一実施形態によると、受信装置１３０がエラーを検出できるように設定された第３データを構成するそれぞれのビットは、すべて同じ値を有するように設定することができる。リレー１２０が、第３データを構成するそれぞれのビットがすべて「１」やすべて「０」である第３データを受信装置１３０に送信し、受信装置１３０が受信した第３データを構成するそれぞれのビットがすべて同じであれば、第３データにエラーが発生したものと判断することができる。
【００５５】
第３データを構成するそれぞれのビットは、任意に生成された値を有することができる。第３データを構成するそれぞれのビットが「１」又は「０」でなく任意に生成された大きさを有する場合に、第３データは雑音（ｎｏｉｓｅ）と類似した形態を有する。雑音と類似した第３データを受信した受信装置１３０は、第３データに対してエラーが発生したものと判断することができる。
【００５６】
受信部３１０で第２データを受信できなかったものと判断部３３０が判断した場合に、送信部３４０は第２データを受信装置１３０に送信しなくてもよい。本発明の一実施形態によると、リレー１２０は、受信できなかった第２データに対して人為的な操作をせず、第２データを代替することができる第３データを受信装置１３０に送信しない。これをドロップモード（Ｄｒｏｐ  ｍｏｄｅ）という。ドロップモードでは、受信部３１０で第２データを受信できなかったものと判断部が判断した場合に、送信部３４０は正しく受信した地図情報のみを第３データフレームに含めて受信装置１３０に送信することができる。
【００５７】
受信部３１０で第２地図情報を受信できなかったものと判断部３３０が判断した場合に、送信部３４０はいかなるデータの送信も行わない。
【００５８】
図４は、本発明の一実施形態によるデータ転送方法を示すフローチャートである。以下、図４を参照しながら、データ転送方法について詳しく説明する。
【００５９】
ステップＳ４１０では、第１データ２４０（図２参照）を含む第１データフレームを受信する。ステップＳ４２０では、第１地図情報２５０（図２参照）を含む第２データフレームを受信する。本発明の一実施形態によると、ステップＳ４１０では、第１データ２４０がリレー１２０から受信装置１３０に送信される時刻に対する情報を含む第１データ送信時刻情報を第１データフレームに含んで受信し、ステップＳ４２０では、第１地図情報２５０がリレー１２０から受信装置１３０に送信される時刻に対する情報を含む第１地図情報送信時刻情報を第２データフレームに含んで受信することができる。
【００６０】
ステップＳ４３０では、第１データ２４０と第１地図情報２５０が互いに相応するか否かを判断する。本発明の一実施形態によると、第１データ送信時刻情報及び第１地図情報送信時刻情報に基づいて第１データ２４０と第１地図情報２５０が互いに相応するか否かを判断することができる。
【００６１】
第１データ２４０と第１地図情報２５０が互いに相応しない場合に、ステップＳ４４０で、第１地図情報２５０に相応する第２データを受信できなかったものと判断し、第１データ２４０に相応する第２地図情報２５０を受信できなかったものと判断する。ステップＳ４３０で、第１データ２４０と第１地図情報２５０が互いに相応すると判断された場合には、ステップＳ４５０で、第１地図情報２５０を用いて第１データ２４０を受信装置１３０に送信する。
【００６２】
図５は、本発明の一実施形態によるデータ送信時刻情報及び地図情報送信時刻情報に基づいてデータと地図情報が互いに相応するか否かを判断する方法を示すフローチャートである。以下、図５を参照しながら、データと地図情報が互いに相応するか否かを判断する方法について詳しく説明する。
【００６３】
ステップＳ５１０では、第１データ送信時刻情報を受信する。本発明の一実施形態によると、第１データ送信時刻情報は、第１データフレーム２１０に含まれて受信されてもよい。
【００６４】
ステップＳ５２０では、第１地図情報送信時刻情報を受信する。本発明の一実施形態によると、第１地図情報送信時刻情報は、第２データフレーム２２０に含まれて受信されてもよい。
【００６５】
ステップＳ５３０では、第１データ２４０を受信装置１３０に送信するための第３データフレーム２３０を第１データ送信時刻情報に基づいて算出する。
【００６６】
ステップＳ５４０では、第１地図情報２５０を受信装置１３０に送信するための第４データフレームを第１地図情報送信時刻情報に基づいて算出する。本発明の一実施形態によると、第１データ送信時刻情報は第３データフレーム２３０のフレーム番号を含み、第１地図情報送信時刻情報は第４データフレームのフレーム番号を含むことができる。本発明の他の実施形態によると、第１データ送信時刻情報は、第３データフレーム２３０のフレーム番号のうちの所定の長さの下位ビット（ＬＳＢ）を含み、第１地図情報送信時刻情報は、第４データフレームのフレーム番号のうちの所定の長さの下位ビット（ＬＳＢ）を含むことができる。
【００６７】
ステップＳ５５０では、第３データフレーム２３０と第４データフレームが互いに同じか否かを判断する。
【００６８】
第３データフレームと第４データフレームが互いに同じデータフレームである場合には、ステップＳ５７０で、第１データ２４０と第１地図情報２５０は互いに相応するものと判断する。
【００６９】
第３データフレーム２３０と第４データフレームが互いに相異したデータフレームである場合には、ステップＳ５６０で、第１データ２４０と第１地図情報２５０は互いに相応しないものと判断する。第１データ２４０と第１地図情報２５０が互いに相応しなければ、第１データ２４０に相応する第２地図情報及び第１地図情報２５０に相応する第２データを受信できなかったものと判断することができる。
【００７０】
本発明の一実施形態によると、第２地図情報を受信できなかったものと判断した場合に、第２地図情報に相応する第１データ２４０に対する無視メッセージを受信装置１３０（図３参照）に送信するステップを更に含むことができる。受信装置１３０が第１データ２４０に対する無視メッセージを受信した場合に、受信装置１３０は第１データ２４０に対応する無線資源を用いてはデータを受信しない。
【００７１】
本発明の一実施形態によると、第２データを受信できなかったものと判断した場合に、第２データと関連した第１地図情報２５０に含まれた受信装置１３０の識別子を削除し、第１地図情報２５０を用いて第２データを受信装置１３０に送信するステップを更に含むことができる。受信装置１３０は、第１地図情報２５０を先ず受信し、第１地図情報２５０に自身の識別子が含まれていると、第１地図情報２５０を用いて第１地図情報２５０に相応する第２データを受信する。第１地図情報２５０に含まれた受信装置１３０の識別子を削除すると、受信装置１３０が第２データを受信しないようにできる。
【００７２】
第２データを受信できなかったものと判断した場合には、第２データに相応する第１地図情報２５０に、リレー１２０の識別子又は送信装置１１０に接続されない第２受信装置の識別子を含めて送信するステップを更に含むことができる。
【００７３】
第１地図情報２５０を受信することができる複数の受信装置が存在する場合に、受信装置の中には、第１地図情報２５０に特定の受信装置の識別子が含まれていなければ、第１地図情報２５０に相応する第２データを受信する受信装置が存在してもよい。第１地図情報２５０に、リレー１２０の識別子又は送信装置１１０に接続されない第２受信装置の識別子を含めて送信すると、第１地図情報２５０を受信した受信装置１３０が第２データを受信しないようにできる。
【００７４】
第２データを受信できなかったものと判断した場合には、リレーで受信できない第２データの代りに、受信装置がエラーを検出できるように設定された第３データを受信装置に送信するステップを更に含むことができる。
【００７５】
受信装置１３０は、第３データに対するエラーを検出してエラー発生（ＮＡＣＫ）メッセージをリレー１２０に送信する。受信装置１３０は第３データではない第２データに対するエラー発生（ＮＡＣＫ）メッセージを送信装置１１０に送信し、送信装置は、エラー発生（ＮＡＣＫ）メッセージに応答して第２データをリレー１２０に再送信する。リレーは、再送信された第２データを受信装置に送信することができる。
【００７６】
上述した本発明の実施形態は、コンピュータにより実現される多様な動作を実行するためのプログラム命令を含むコンピュータ読取可能な記録媒体に記録することができる。記録媒体は、プログラム命令、データファイル、データ構造などを単独又は組み合わせて含むこともでき、記録媒体及びプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、及びＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光又は金属線、導波管などの送信媒体により具現することもできる。プログラム命令の例としては、コンパイラによって生成されるような機械語コードだけでなく、インタプリタなどを用いてコンピュータによって実行され得る高級言語コードを含む。本発明の実施形態で説明した送信装置、リレー、受信装置の動作のすべて又は一部がコンピュータプログラムで具現された場合、このコンピュータプログラムを格納したコンピュータ読取可能な記録媒体も本発明に含まれる。
【００７７】
以上、本発明の実施形態について説明したが、本発明は、上述の実施形態に限定されるものではなく、本発明の技術的範囲から逸脱しない範囲内で多様に変更実施することが可能である。
【符号の説明】
【００７８】
１１０    基地局、送信装置
１２０    リレー
１３０    端末機、受信装置
２１０    第１データフレーム
２１１、２２１、２３１    制御信号送信領域
２２０    第２データフレーム
２１２、２２２、２３２    データ送信領域
２３０    第３データフレーム
２４０    第１データ
２５０    第１地図情報
２６０    
２７０    
３１０    受信部
３２０    送信フレーム算出部
３３０    判断部
３４０    送信部
【図１】
2010534440.tif 000003
【図２】
2010534440.tif 000004
【図３】
2010534440.tif 000005
【図４】
2010534440.tif 000006
【図５】
2010534440.tif 000007
【手続補正書】
【提出日】平成22年4月9日(2010.4.9)
【手続補正１】
【補正対象書類名】特許請求の範囲
【補正対象項目名】全文
【補正方法】変更
【補正の内容】
【特許請求の範囲】
【請求項１】
基地局又は上位のリレーからデータ又は地図情報を含む少なくとも一つのデータフレームを受信する受信部と、
前記データと前記地図情報とが互いに相応するか否かを判断し、互いに相応しない場合に、前記データ又は前記地図情報の受信中にエラーが生じたものと判断する判断部と、を備えることを特徴とするリレー。
【請求項２】
前記少なくとも一つのデータフレームは、前記データと関連したデータ送信時刻情報及び前記地図情報と関連した地図情報送信時刻情報を含み、
前記判断部は、前記データ送信時刻情報及び前記地図情報送信時刻情報に基づいて前記データと前記地図情報とが互いに相応するか否かを判断することを特徴とする請求項１に記載のリレー。
【請求項３】
前記データ送信時刻情報は、前記データフレームのフレーム番号に対する所定の長さの下位ビット（ＬＳＢ）を含むことを特徴とする請求項２に記載のリレー。
【請求項４】
前記地図情報送信時刻情報は、前記データフレームのフレーム番号に対する所定の長さの下位ビット（ＬＳＢ）を含むことを特徴とする請求項２に記載のリレー。
【請求項５】
前記データ又は前記地図情報を下位のリレー又は端末機に送信する送信データフレームを算出するデータフレーム算出部を更に備え、
前記送信データフレームは、前記データ又は前記地図情報を含み、
前記判断部は、前記送信データフレームに互いに相応する前記データと前記地図情報とがそれぞれ含まれる場合に、前記データと前記地図情報とが互いに相応するものと判断することを特徴とする請求項１に記載のリレー。
【請求項６】
前記判断部の判断結果に基づいて前記データと前記地図情報とが互いに相応しない場合に、前記データ又は前記地図情報に対するエラー発生（ＮＡＣＫ）メッセージを前記基地局又は前記上位のリレーに送信する送信部を更に備えることを特徴とする請求項１に記載のリレー。
【請求項７】
前記地図情報は、前記データフレーム内で前記データの送信が開始される時刻、前記データが送信される時間区間の長さ、及び前記データが送信される端末機又は下位のリレーの識別子のうちの少なくともいずれか１つを含むことを特徴とする請求項１に記載のリレー。
【請求項８】
前記判断部の判断結果に基づいて前記地図情報の受信中にエラーが生じた場合に、前記データが送信される端末機又は下位のリレーに前記データに対する無視メッセージを送信する送信部を更に備えることを特徴とする請求項１に記載のリレー。
【請求項９】
前記無視メッセージは、ギャップ（Ｇａｐ）ダウンリンクバーストプロファイルメッセージであることを特徴とする請求項８に記載のリレー。
【請求項１０】
前記無視メッセージは、空間・時間コーディング／ダウンリンク（ＳＴＣ／ＤＬ）ゾーンスイッチメッセージであることを特徴とする請求項８に記載のリレー。
【請求項１１】
前記判断部の判断結果に基づいて前記データの受信中にエラーが生じた場合に、前記判断部は、前記地図情報に含まれた端末機又は下位のリレーの識別子を削除することを特徴とする請求項１に記載のリレー。
【請求項１２】
前記判断部の判断結果に基づいて前記データの受信中にエラーが生じた場合に、前記リレーの識別子、或いは前記地図情報に含まれる他の端末機又は他のリレーの識別子を設定することで、前記リレーの識別子、或いは前記基地局又は前記上位のリレーに接続されない前記他のリレー又は前記他の端末機のそれぞれの識別子を送信する送信部を更に備えることを特徴とする請求項１に記載のリレー。
【請求項１３】
前記判断部の判断結果に基づいて前記データの受信中にエラーが生じた場合に、受信装置がデータを受信中にエラーを検出するように設定された置換データを下位のリレー又は端末機に送信する送信部を更に備えることを特徴とする請求項１に記載のリレー。
【請求項１４】
前記置換データは、すべて同じ値を有するか、或いは任意に生成された値を有するビットからなることを特徴とする請求項１３に記載のリレー。
【請求項１５】
基地局又は上位のリレーからデータ又は地図情報を含む少なくとも一つのデータフレームを受信するステップと、
前記データと前記地図情報とが互いに相応するか否かを判断し、互いに相応しない場合に、前記データ又は前記地図情報の受信中にエラーが生じたものと判断するステップと、を有することを特徴とするデータ転送方法。
【請求項１６】
前記少なくとも一つのデータフレームは、前記データと関連したデータ送信時刻情報及び前記地図情報と関連した地図情報送信時刻情報を含み、
前記データ又は前記地図情報の受信中にエラーが生じたものと判断するステップは、前記データ送信時刻情報及び前記地図情報送信時刻情報に基づいて前記データと前記地図情報とが互いに相応するか否かを判断することを特徴とする請求項１５に記載のデータ転送方法。
【請求項１７】
前記判断するステップの判断結果に基づいて前記データと前記地図情報とが互いに相応しない場合に、前記データ又は前記地図情報に対するエラー発生（ＮＡＣＫ）メッセージを前記基地局又は前記上位のリレーに送信するステップを更に備えることを特徴とする請求項１５に記載のデータ転送方法。
【請求項１８】
前記判断するステップの判断結果に基づいて前記地図情報の受信中にエラーが生じた場合に、前記データが送信される端末機又は下位のリレーに前記データに対する無視メッセージを送信するステップを更に有することを特徴とする請求項１５に記載のデータ転送方法。
【請求項１９】
前記判断するステップの判断結果に基づいて前記データの受信中にエラーが生じた場合に、前記地図情報に含まれた端末機又は下位のリレーの識別子を削除するステップを更に有することを特徴とする請求項１５に記載のデータ転送方法。
【請求項２０】
前記判断するステップの判断結果に基づいて前記データの受信中にエラーが生じた場合に、前記リレーの識別子、或いは前記地図情報に含まれる他の端末機又は他のリレーの識別子を設定することで、前記リレーの識別子、或いは前記基地局又は前記上位のリレーに接続されない前記他のリレー又は前記他の端末機のそれぞれの識別子を送信するステップを更に有することを特徴とする請求項１５に記載のデータ転送方法。
【請求項２１】
前記判断するステップの判断結果に基づいて前記データの受信中にエラーが生じた場合に、受信装置がデータを受信中にエラーを検出するように設定された置換データを下位のリレー又は端末機に送信するステップを更に有することを特徴とする請求項１５に記載のデータ転送方法。
【手続補正３】
【補正対象書類名】明細書
【補正対象項目名】０００１
【補正方法】変更
【補正の内容】
【０００１】
本発明はリレー及びそのデータ転送方法に関し、より詳細には、送信装置から受信したデータを受信装置に送信するリレー及びそのデータ転送方法に関する。
【手続補正４】
【補正対象書類名】明細書
【補正対象項目名】０００７
【補正方法】変更
【補正の内容】
【０００７】
本発明は、送信装置から非同期に受信するデータ及び地図情報のうちのいずれか１つを受信できなかった場合に、受信できなかったデータ又は地図情報の代わりとなるデータ又は地図情報を受信装置に送信するリレー、及びこのリレーを用いたデータ転送方法を提供することを目的とする。
【手続補正５】
【補正対象書類名】明細書
【補正対象項目名】０００８
【補正方法】変更
【補正の内容】
【０００８】
上記目的を達成するためになされた本発明のリレーは、基地局又は上位のリレーからデータ又は地図情報を含む少なくとも一つのデータフレームを受信する受信部と、前記データと前記地図情報とが互いに相応するか否かを判断し、互いに相応しない場合に、前記データ又は前記地図情報の受信中にエラーが生じたものと判断する判断部と、を備えることを特徴とする。
【手続補正６】
【補正対象書類名】明細書
【補正対象項目名】０００９
【補正方法】変更
【補正の内容】
【０００９】
上記目的を達成するためになされた本発明のデータ転送方法は、基地局又は上位のリレーからデータ又は地図情報を含む少なくとも一つのデータフレームを受信するステップと、前記送信装置から第１地図情報を含む第２データフレームを受信するステップと、前記データと前記地図情報とが互いに相応するか否かを判断し、互いに相応しない場合に、前記データ又は前記地図情報の受信中にエラーが生じたものと判断するステップと、を有することを特徴とする。
【国際調査報告】
2010534440.tif 000008
2010534440.tif 000009